(57)【要約】【課題】  アンテナのセットアップにおいて、２つの部品の相対位置を調整するアライメント作業は従来より手作業で行われており、作業者には高い技量が要求されていた。また、調整作業に多大な時間を要していた。【解決手段】  ２つの部品の相対位置と回転角を調整するアライメント調整用治具であって、一方の部品を相対する方向から把持する第１のクランプと第２のクランプと、前記第１のクランプと第２のクランプとを連結する第１のボルトと第２のボルトと、前記第１のクランプに設けられ、他方の部品を一方向から押圧する第３のボルトと第４のボルトと、前記第２のクランプに設けられ、前記他方の部品を他方から押圧する第５のボルトと第６のボルトとを備え、前記第３から第６のボルトの先端部には、前記他方の部品の端面に倣って回転可能な半球を有するようにした。【選択図】  図２
2016225958.tif 000002
【特許請求の範囲】
【請求項１】
２つの部品の相対位置と回転角を調整するアライメント調整用治具であって、
一方の部品を相対する方向から把持する第１のクランプと第２のクランプと、
前記第１のクランプと第２のクランプとを連結する第１のボルトと第２のボルトと、
前記第１のクランプに設けられ、他方の部品を一方向から押圧する第３のボルトと第４のボルトと、
前記第２のクランプに設けられ、前記他方の部品を他方から押圧する第５のボルトと第６のボルトと、
を備え、
前記第３から第６のボルトの先端部には、前記他方の部品の端面に倣って回転可能な半球を有していることを特徴とするアライメント調整用治具。
【請求項２】
請求項１記載のアライメント調整用治具において、前記第３から第６のボルトの回転角と回転方向を調整することにより、前記２つの部品の相対位置と回転角を調整することを特徴とするアライメント調整方法。
【請求項３】
前記第３のボルトと前記第４のボルトを同一方向に回転し、前記第５のボルトと前記第６のボルトとを前記第３のボルトと前記第４のボルトの回転方向とは逆方向に回転させることにより、前記他方の部品を並進移動させることを特徴とする請求項２記載のアライメント調整方法。
【請求項４】
前記第３のボルトと、前記第３のボルトと対角方向にある前記第６のボルトを同一方向に回転し、前記第４のボルトと、前記第４のボルトと対角方向にある前記第５のボルトを、前記第３のボルトと前記第６のボルトの回転方向と逆方向に回転させることにより、前記他方の部品を回転移動させることを特徴とする請求項２記載のアライメント調整方法。
【請求項５】
前記第３から第６のボルトは同一構造を有し、同一ピッチで回転させることを特徴とする請求項３、４いずれか記載のアライメント調整方法。
【発明の詳細な説明】
【技術分野】
【０００１】
この発明は、支柱先端に固定したアンテナ装置の位置や回転方向を、基準に対して高精度に調整可能なアライメント調整用の冶具に関するものである。
【背景技術】
【０００２】
従来、支柱先端に取り付けられたアンテナ装置は手作業で行っており、この位置調整には高い精度を要求されていた（例えば、特許文献１参照）。
【先行技術文献】
【特許文献】
【０００３】
【特許文献１】特開平５−３４３９１２号公報
【発明の概要】
【発明が解決しようとする課題】
【０００４】
調整精度が、並行に移動する方向（並進方向）で数百μm単位、回転方向で数分度単位の調整を手作業で行っていることから、従来、調整作業に時間を要するという課題があった。また、部品の固定具や調整用の工具もなく、作業者の技量に依存するという課題があった。
具体的には、作業者自身が部品の保持と調整を行っており、部品が固定されていないため、調整後にねじ締結を行うと同時に動くという問題があった。部品の相対位置を固定し微調整するための工具や機械も存在していないため、定量的に位置を決めることができない。
【０００５】
この発明は、係る課題を解決するためになされたものであり、支柱先端に固定したアンテナ装置の位置や回転方向を、定量的に精度よく調整可能なアライメント調整用冶具を提供することを目的とする。
【課題を解決するための手段】
【０００６】
この発明に係るアライメント調整用治具は、２つの部品の相対位置と回転角を調整するアライメント調整用治具であって、一方の部品を相対する方向から把持する第１のクランプと第２のクランプと、前記第１のクランプと第２のクランプとを連結する第１のボルトと第２のボルトと、前記第１のクランプに設けられ、他方の部品を一方向から押圧する第３のボルトと第４のボルトと、前記第２のクランプに設けられ、前記他方の部品を他方から押圧する第５のボルトと第６のボルトとを備え、前記第３から第６のボルトの先端部には、前記他方の部品の端面に倣って回転可能な半球を備えるようにした。
【発明の効果】
【０００７】
この発明によれば、ボルトの回転量を調整することにより、支柱に固定したアンテナ装置に所望の移動量もしくは回転量を与えることができるため、作業に特別な技量を必要とせず、容易に、アンテナ装置の位置や回転方向の調整を行うことができる。
【図面の簡単な説明】
【０００８】
【図１】この発明の実施の形態１に係るアライメント調整用治具を部品に取り付けた状態を説明する図である。
【図２】この発明の実施の形態１に係るアライメント調整用治具の構成を説明する図である。
【図３】この発明の実施の形態１に係るアライメント調整用治具の動作を説明する図である。
【図４】この発明の実施の形態１に係るアライメント調整用治具の動作を説明する図である。
【図５】この発明の実施の形態１に係るアライメント調整用治具の動作を説明する図であり、（ａ）は部品を下方向に移動させる場合の各ボルトの移動方向、（ｂ）は部品を右回転させる場合の各ボルトの移動方向を示す図である。
【発明を実施するための形態】
【０００９】
実施の形態１．
以下、この発明に係るアライメント調整用治具について図を用いて説明する。
図１は、実施の形態１に係るアライメント調整用治具１００の概要を説明する図である。また、図２は、実施の形態１に係るアライメント調整用治具１００の構成を説明する図である。なお、アライメント調整用治具１００を構成する部品は各種部品を備えているが、ここでは発明の要旨とする部分のみを説明する。
【００１０】
図１において、図示しないアンテナ装置に支柱を介して繋がる部品１は、ボルトにより４か所で部品２に締結される。このとき、アライメント調整用治具１００を用いて部品１と部品２を同時にクランプする。
【００１１】
アライメント調整用治具１００は図２のように複数の部品で構成されている。
部品１を上下方向から把持するためのクランプ１０とクランプ１１があり、クランプ１０とクランプ１１は、ボルト８とボルト９によって連結される。
ボルト８とボルト９を締めることで、垂直方向（上下方向）で部品１をクランプする。また、ボルト１２とボルト１３を側面に備えており、ボルト１２とボルト１３を締めることにより、クランプ８及びクランプ９の対面とで部品１を挟み込み、部品１の水平方向をクランプする。
このようにして、アンテナ装置につながる部品１を固定する。
【００１２】
一方、図示しない本体側の構成につながる部品２の固定にはボルト４、ボルト５、ボルト６、ボルト７を用いる。
ボルト４〜７の回転数を調整することで、アンテナ装置に支柱を介してつながる部品１と本体側の構成につながる部品２との位置関係を調整する。
【００１３】
このようにして、本実施の形態に係るアライメント調整用治具を用いることで、本体側の構成に対し、アンテナ装置の位置関係を調整することが可能となる。
【００１４】
次に、アライメント調整用治具１００の動作について説明する。
図３は、アライメント調整用治具１００の動作を説明するものであり、アンテナ装置につながる部品１と本体側の構成につながる部品２の位置関係をコントロールする方法を示したものである。
【００１５】
アライメント調整用治具１００において、クランプ１０に設けられたボルト４とボルト５を同ピッチ回転させることで、部品２を並進させることができる。同様に、クランプ１１に設けられたボルト６とボルト７を同ピッチ回転させることで、部品２を並進させることができる。
このように、同一のクランプに設けられた２か所のボルトを、同ピッチ回転させることで、アライメント調整用治具１００が保持する部品２を上下方向に並進移動させることができる。
なお、移動方向を上方向とするか、下方向にするかは、ボルトの回転方向により決めることができる。
【００１６】
また、アライメント調整用治具１００において、クランプ１０に設けられたボルト４とクランプ１１に設けられたボルトで、ボルト４と対角方向にあるボルト７を同ピッチで回転させることで、部品２を回転移動させることができる。
同様に、クランプ１０に設けられたボルト５と、クランプ１１に設けられたボルトでボルト５と対角方向にあるボルト７を同ピッチで回転させることで、部品２を回転移動させることができる。
このように、上下の各々のクランプに設けられたボルトで対角位置にある２か所のボルトを、同ピッチ回転させることで、アライメント調整用治具１００が保持する部品２を回転移動させることができる。
なお、回転方向を右周りとするか、左周りとするかは、対角位置にある２か所のボルトの回転方向により決めることができる。
【００１７】
図４は、本実施の形態に係るボルト４〜ボルト７の断面図であり、ボルト４〜ボルト７の先端部分の機能について示したものである。ボルト４〜ボルト７はいずれも同じ構造を有しており、ここでは、ボルト４を例に挙げて説明する。
【００１８】
図４において、ボルト４は先端部に、一部に平面を有した半球４１を備える。半球４１は球の中心を回転中心として回転可能であり、半球４１の平面に接する部品２の端面２１の向きに倣って回転する。
図４の例では、部品２の端面２１が、右側方向が高く傾くことにより、半球４１の平面も右側が高く傾くように回転する。なお、ここで半球４１とは全球の半分ということではなく、全球の一部に平面を有している場合は、半球４１ということにする。
このように、本実施の形態に係るボルト４〜７は先端部に半球４１を備え、半球４１の平面側が部品２の平面に接し、部品２の回転に合わせて球面が回転し、常に互いの面が接した状態を保つ。
【００１９】
図５は、断面が矩形の部品２の並進移動や回転移動と、ボルト４〜７を回転させることによるボルト先端位置の上下移動との関連を、模式的に説明した図である。
図５において、（ａ）は部品２を下方向に移動させる場合の、ボルト４〜ボルト７の移動方向を示した図である。（ａ）において、ボルト４〜ボルト７を同ピッチで、同一の方向（下方向）に移動するように各ボルトを回転させることで、ボルト４〜ボルト７の先端位置を図の下方向に、同じ距離だけ移動させることができる。このようにして、部品２を下方向に並進させることができる。このとき、ボルト４、５、６、７の先端部の各々の半球４１、５１、６１、７１は回転することなく、部品２の端面に倣って下方向に並進移動する。
【００２０】
また、図５（ｂ）は、部品２を図において右回転させる場合の、ボルト４〜ボルト７の移動方向を示した図である。（ｂ）において、ボルト４と、ボルト４の対角方向にあるボルト７を同ピッチで、ボルト４は上方向に、ボルト７は下方向に移動するように各ボルトを回転させることで、ボルト４の先端位置を図の上方向に、ボルト７の先端位置を図の下方向に移動させることができる。ボルト４とボルト７の移動によって、部品２は右方向に回転する力を与えられる。このとき、ボルト４の先端部の半球４１とボルト７の先端部の半球７１は、右方向に回転する部品２の端面に倣って回転する。
同様に、ボルト５と、ボルト５の対角方向にあるボルト６を同ピッチで、ボルト５は下方向に、ボルト６は上方向に移動するように各ボルトを回転させることで、ボルト５の先端位置を図の下方向に、ボルト６の先端位置を図の上方向に移動させることができる。ボルト５とボルト６の移動によって、部品２は左方向に回転する力を与えられる。ボルト５の先端部の半球５１とボルト６の先端部の半球６１は、左方向に回転する部品２の端面に倣って回転する。
【００２１】
なお、ボルト４とボルト７を回転させるタイミングと、ボルト５とボルト６を回転させるタイミングは同一であってもよいし、あるいは、ボルト５とボルト６を一旦緩めて部品２から離した状態で、ボルト４とボルト７を同ピッチで回転させ、部品２を回転させた後にボルト５とボルト６を再度締めて部品２を固定するようにしてもよい。
【００２２】
以上のように、本実施の形態に係るアライメント調整用治具は、位置を調整する一方の部品（部品１）を上下方向から挟んで把持するクランプ１０とクランプ１１と、クランプ１０とクランプ１１とを連結するボルト８とボルト９と、クランプ１０に設けられて位置を調整する他方の部品（部品２）を固定するボルト４とボルト５と、クランプ１１に設けられて他方の部品（部品２）を固定するボルト６とボルト７を備える。ボルト４、ボルト５、ボルト６、ボルト７は同一構造を有して、各ボルトの先端部には回転可能な半球を備えて、各半球は他方の部品２の端面に倣って回転するようにした。
【００２３】
これにより、各ボルトの回転量を調整するだけで、部品１と部品２との位置と回転方向とを調整することができ、作業に特別な技量を必要とせず、容易に部品同士の位置や回転方向の調整を高精度に行うことができる。
例えば、部品１がアンテナ装置を保持する支柱であり、部品２が本体側構成である場合に、本実施の形態に係るアライメント調整用治具を用いることで、アンテナ装置の位置と回転方向を高精度に調整することが可能となる。
【００２４】
なお、上記実施の形態はあくまで一例であって、部品１や部品２を固定するための部品は必ずしもボルトである必要はない。また、部品２を並進させたい方向が垂直方向でなく水平方向であれば適宜取り付け方向を変えてよく、また、アライメント調整用治具を組み合わせることで、部品２を水平方向と垂直方向共に並進移動させることができる。
【符号の説明】
【００２５】
１  部品、２  部品、３  治具、４  ボルト、５  ボルト、６  ボルト、７  ボルト、８  ボルト、９  ボルト、１０  クランプ、１１  クランプ、１２  ボルト、１３  ボルト、２１  部品２の端面、４１  ボルト４先端の半球、５０  半球４１の回転する様子の一例、５１  ボルト５先端の半球、６１  ボルト６先端の半球、７１  ボルト７先端の半球、１００  アライメント調整用治具。
【図１】
2016225958.tif 000003
【図２】
2016225958.tif 000004
【図３】
2016225958.tif 000005
【図４】
2016225958.tif 000006
【図５】
2016225958.tif 000007